(57)【要約】【課題】  使用時において紐が直接使用者の肌に触れず、かつ使用後において容易にコンパクトに折りたたむことができて清潔に廃棄処理できる生理用ナプキンを提供する。【解決手段】  本発明の生理用ナプキン１００は、液透過性の表面材１と液不透過性の裏面材２とこれら両部材間に介在する液吸収体３とを有する生理用ナプキン本体部１０と、平面視における該生理用ナプキン本体部１０の外周部近くに設けられた連続的な袋状部材１１と、該袋状部材１１の内部に通されその両端部が前記袋状部材１１の外部に対向して取り出された紐状部材１２とを有する。【選択図】      図１Ａ
2007082595.tif 000002
【特許請求の範囲】
【請求項１】
液透過性の表面材と液不透過性の裏面材とこれら両部材間に介在する液吸収体とを有する生理用ナプキン本体部と、
平面視における該生理用ナプキン本体部の外周部近くに設けられた連続的な袋状部材と、
該袋状部材の内部に通されその両端部が前記袋状部材の外部に対向して取り出された紐状部材と、を有する生理用ナプキン。
【請求項２】
前記紐状部材が前記生理用ナプキン本体部の前端部から取り出されている、請求項１に記載の生理用ナプキン。
【請求項３】
前記袋状部材が平面視における前記裏面材の外周手前に沿って設けられた、請求項１又は２に記載の生理用ナプキン。
【請求項４】
前記袋状部材の長手方向略中央部の幅を前記袋状部材の長手方向略中央部以外の幅よりも狭くした、請求項１〜３のいずれかに記載の生理用ナプキン。
【請求項５】
前記袋状部材の一部が、平面視における生理用ナプキン本体部の外側へ張り出している、請求項１〜４のいずれかに記載の生理用ナプキン。
【請求項６】
前記袋状部材の平面視における生理用ナプキン本体部の外側へ張り出している部分が、生理用ナプキン本体部の長手方向中央部よりも後端部寄りに位置している、請求項５に記載の生理用ナプキン。
【請求項７】
液透過性の表面材と、液不透過性の裏面材と、これら両部材間に介在する液吸収体と、を有する生理用ナプキンにおいて、
平面視における該生理用ナプキンの外縁内部が連続的な袋部を形成し、該袋部の内部に紐状部材を通し、該紐状部材の両端部が前記袋部の外部に取り出された、生理用ナプキン。
【請求項８】
前記袋部の内部に袋状部材を設け、該袋状部材の内部に紐状部材を通した、請求項７に記載の生理用ナプキン。
【請求項９】
前記紐状部材の両端部に膨出部を設けた、請求項１〜８のいずれかに記載の生理用ナプキン。
【発明の詳細な説明】
【技術分野】
【０００１】
本発明は、廃棄処理をする際に、清潔かつコンパクトに折りたたむことができる生理用ナプキンに関する。
【背景技術】
【０００２】
従来より、液透過性の表面材と液不透過性の裏面材との間に液吸収体を介在させた生理用ナプキンが使用されている。
【０００３】
そして、このような生理用ナプキンは、使用後の廃棄処理において、生理用ナプキンの表面材に付着した体液が手についたりすることがある。
【０００４】
そこで、図５（ａ）に示すように、表面材１と裏面材２とを有する生理用ナプキン１００の両端に紐１２を通し、片方に輪１５を作ったものが用いられている（特許文献１参照）。このような構成にすると、図５（ｂ）に示すように、使用後の生理用ナプキン１００を二つ折りにして廃棄することができるので、生理用ナプキン１００の表面材１に付着した体液が手につかなくなる。
【特許文献１】実開６３−８５２３１号公報
【発明の開示】
【発明が解決しようとする課題】
【０００５】
しかしながら、上記特許文献１の構成においては、生理用ナプキンから輪が出ているので、生理用ナプキンの外観上の見栄えが良くない。また、使用時において生理用ナプキンに通した紐が使用者の肌に直接触れて不快感を生じさせるおそれがある。さらに、生理用ナプキンの折りたたみが不完全でコンパクトにならず、廃棄後にはもとの形状に戻ってかさばるため、廃棄することが容易でない。
【０００６】
また、上記特許文献１の構成においては、折りたたむ際に生理用ナプキン本体部の一部を手で固定しながら紐を引っ張らなければならないため、生理用ナプキンの使用面に手が触れてしまい、清潔に廃棄処理できないおそれがある。
【０００７】
本発明は上記のような課題を解決するためになされたもので、使用時において紐が直接使用者の肌に触れないと共に、使用後において容易にコンパクトに折りたたむことができ、清潔に廃棄処理できる生理用ナプキンを提供することを目的としている。
【課題を解決するための手段】
【０００８】
上記課題を解決するために、本発明の生理用ナプキンは、液透過性の表面材と液不透過性の裏面材とこれら両部材間に介在する液吸収体とを有する生理用ナプキン本体部と、  平面視における該生理用ナプキン本体部の外周部近くに設けられた連続的な袋状部材と、該袋状部材の内部に通されその両端部が前記袋状部材の外部に対向して取り出された紐状部材とを有する。
【０００９】
このような構成とすると、使用後において前記紐状部材の各端部（一端と他端）を反対方向に引っ張ることにより、生理用ナプキンの体液の付着した面が生理用ナプキンの前端部及び後端部に覆われる。したがって、生理用ナプキンの体液の付着した面が使用者の手に触れなくなり、清潔に廃棄処理することができるようになる。
【００１０】
また、紐状部材が連続的な袋状部材の内部に通されているので、紐状部材が直接使用者の肌に触れず、使用者を不快にさせない。
【００１１】
本発明の生理用ナプキンは、前記紐状部材が前記生理用ナプキン本体部の前端部から取り出されていてもよい。
【００１２】
一方、本発明の生理用ナプキンは、前記袋状部材が平面視における前記裏面材の外周手前に沿って設けられていてもよい。
【００１３】
このような構成とすると、前記袋状部材が使用者の肌に触れることがさらに防止される。
【００１４】
本発明の生理用ナプキンは、前記袋状部材の長手方向略中央部の幅を前記袋状部材の長手方向略中央部以外の幅よりも狭くしてもよい。
【００１５】
このような構成とすると、生理用ナプキンの体液の付着した面が生理用ナプキンの前端部及び後端部に覆われやすくなって、生理用ナプキンの体液の付着した面が使用者の手に触れなくなるため、清潔に廃棄処理することができるようになる。
【００１６】
また、本発明の生理用ナプキンは、前記袋状部材の一部が、平面視における生理用ナプキン本体部の外側へ張り出していてもよい。
【００１７】
このような構成とすると、生理用ナプキン本体部の外側へ張り出した部分から前端部や後端部が隆起して倒伏しやすくなり、生理用ナプキンの体液の付着した面が生理用ナプキンの前端部や後端部に覆われやすくなって、生理用ナプキンの体液の付着した面が使用者の手に触れなくなるため、清潔に廃棄処理することができるようになる。
【００１８】
さらに、前記袋状部材の平面視における生理用ナプキン本体部の外側へ張り出している部分が、生理用ナプキン本体部の長手方向中央部よりも後端部寄りに位置していてもよい。
【００１９】
このような構成とすると、生理用ナプキン本体部の長手方向中央部よりも後端部寄りに位置した生理用ナプキン本体部の外側へ張り出した部分から、後端部がさらに隆起して倒伏しやすくなる。したがって、生理用ナプキンの体液の付着した面が生理用ナプキンの後端部に覆われやすくなって、生理用ナプキンの体液の付着した面が使用者の手に触れなくなるため、清潔に廃棄処理することができるようになる。
【００２０】
本発明の生理用ナプキンは、液透過性の表面材と、液不透過性の裏面材と、これら両部材間に介在する液吸収体と、を有する生理用ナプキンにおいて、平面視における該生理用ナプキンの外縁内部が連続的な袋部を形成し、該袋部の内部に紐状部材を通し、該紐状部材の両端部が前記袋部の外部に取り出されている。
【００２１】
このような構成とすると、連続した袋状部材を生理用ナプキン本体部に取り付ける必要がなくなるので、部品点数が減り、生理用ナプキンの製造が容易になる。
【００２２】
本発明の生理用ナプキンは、前記袋部の内部に袋状部材を設け、該袋状部材の内部に紐状部材を通してもよい。
【００２３】
このような構成とすると、排出された体液が生理用ナプキンの内部に浸透しても袋状部材にしみこまず、紐状部材のすべりが悪くならない。
【００２４】
本発明の生理用ナプキンは、前記紐状部材の両端部に膨出部が設けられていてもよい。
【００２５】
このような構成とすると、使用者が紐状部材を持ちやすくなると共に、この膨出部によって紐状部材が袋状部材又は袋部に入り込こむことが防止されるようになる。
【発明の効果】
【００２６】
本発明の生理用ナプキンは、使用時において紐が直接使用者の肌に触れないと共に、使用後において容易にコンパクトに折りたたむことができ、生理用ナプキンを清潔に廃棄処理できるという効果を奏する。
【発明を実施するための最良の形態】
【００２７】
以下、本発明の実施形態を、図面を参照しながら説明する。
（第１実施形態）
図１Ａは、本発明の第１実施形態に係る生理用ナプキンを示す図であって、図１Ａ（ａ）は本実施形態の生理用ナプキンの構成を示す表面図であり、図１Ａ（ｂ）は図１Ａ（ａ）のＡ−Ａ線に沿って切断した状態を示す断面図であって、図１Ａ（ｃ）は図１Ａ（ａ）のＢ−Ｂ線に沿って切断した状態を示す断面図である。図１Ｂは、第１実施形態の生理用ナプキンの構成を示す裏面図である。図２Ａ乃至図２Ｄは、第１実施形態の生理用ナプキンの廃棄処理時における形状の変化を示す斜視図である。
【００２８】
図１Ａ乃至図１Ｂに示すように、本実施形態の生理用ナプキン１００は、表面材１と、裏面材２と、これら両面に挟まれた液吸収体３と、前記裏面材２に設けられた連続的な袋状部材（以下、袋状部材）１１と、該袋状部材１１の内部に通された紐（紐状部材）１２とを含んで構成される。
【００２９】
表面材１は、その前端部Ｆと後端部Ｒとが弧状に形成され、前端部Ｆと後端部Ｒとをつなぐ部分が略直線状になった長形に形成されている。ここで、前端部Ｆとは使用者が生理用ナプキン１００を使用する際に人体の前面に位置する側を意味し、後端部Ｒとは使用者が生理用ナプキン１００を使用する際に人体の背面に位置する側を意味する。また、前端部Ｆと後端部Ｒとの意味は、後述する裏面材２、本体部１０、袋状部材１１などにおいても同様に用いられる。表面材１は、排出された体液が生理用ナプキン１００の外部に流れ出るのを防止するため、溝４が設けられている。表面材１は、透液性シートで構成される。ここで、この透液性シートとしては、排出された体液が速やかに浸透するよう、多数の穴が設けられたり、エンボス加工が施されたりしても良い。また、上記透液性シートの材料としては、排出された体液を透過する材料であれば、特に制限なく公知のものを用いることができる。例えば、不織布、多孔性プラスチックフィルムなどを用いることができる。しかし、上記に示した表面材１の構成は一例であって、これに限定されるものではない。たとえば、表面材１の形状や、溝の形成の有無及び溝の形状などは、上記のものに限定されない。
【００３０】
裏面材２は、前記表面材１とほぼ重なるような形状に形成されている。すなわち、裏面材２は、その前端部Ｆと後端部Ｒとが弧状に形成され、前端部Ｆと後端部Ｒとをつなぐ部分が略直線状になった長形に形成されている。また、裏面材２には粘着面５が形成されている。この粘着面５は、例えば、ホットメルト接着剤を塗布することにより形成される。そして、この粘着面５は、剥離紙（図示せず）により被覆されている。裏面材２は、不透液性シートで構成される。ここで、この不透液性シートの材料としては、排出された体液を透過しない材料であれば、特に制限なく公知のものを用いることができる。例えば、防水処理を施した不織布、ポリエチレンなどから構成されるプラスチックフィルム、不織布とプラスチックフィルムとの複合材料などを用いることができる。しかし、上記に示した裏面材２の構成は一例であって、これに限定されるものではない。例えば、裏面材２の形状や、粘着面５の配置などは、上記のものに限定されない。
【００３１】
液吸収体３は、中すぼみの繭型の形状をなしている。液吸収体３は、前記表面材１と、前記裏面材２との間に挟みこむようにして介在されている。ここで、液吸収体３を表面材１と裏面材２との間に介在させる方法としては、例えば、液吸収体３を表面材１と裏面材２との間に挟んだ後、表面材１と裏面材２との外縁部をホットメルト接着剤で接着させる方法などを用いることができる。ここで、図１Ａ（ｂ），（ｃ）に示すように、液吸収体３が、表面材１と裏面材２との間に挟みこむように介在されて構成された部分を、生理用ナプキン本体部（以下、本体部）１０という。また、液吸収体３の材料としては、排出された体液を吸収する材料であれば、特に制限なく公知のものを用いることができる。例えば、吸水性繊維、吸水性繊維と吸水性ポリマーとの混合物などを用いることができる。ここで、吸水性繊維などに吸水性ポリマーを混合させると、体液が吸水性ポリマーによって保持されながら、吸水性繊維によって体液が吸収されるようになる。しかし、上記に示した液吸収体３の構成は一例であって、これに限定されるものではない。液吸収体３の形状は、上記のものに限定されず、例えば、長方形状に形成されていてもよい。
【００３２】
袋状部材１１は、前記裏面材２の外周部にほぼ沿うようにして取り付けられている。ここで、袋状部材１１は、図１Ａ（ｂ）、（ｃ）に示すように、断面形状が扁平に押しつぶされた筒状になっている。しかし、袋状部材１１の断面形状はこれに限定されない。すなわち、その内部空間に後述する紐１２を通すことができる断面形状を有していればよい。袋状部材１１は、本体部１０が隆起し倒伏しやすいよう、平面視においてその一部が表面材１及び裏面材２から張り出した部分（張り出し部１１ａ）を有するようにして形成されている。張り出し部１１ａは、本体部１０の後端部Ｒの弧状部終端から長手方向中央部にかけて位置している。すなわち、張り出し部１１ａは、生理用ナプキン１００の形状変化を容易にするため、本体部１０の長手方向中央部よりも後端部Ｒ寄りに位置している。
【００３３】
また、袋状部材１１は、本体部１０の弧状部に沿って湾曲する弧状に形成されると共に、該袋状部材１１の前端部Ｆの短手方向中央部において対向するようにして、開口部１１ｂが設けられている。ここで、開口部１１ｂが対向するようにして設けられているのは、後述する紐１２で結び目を作りやすくするためである。本実施形態においては、開口部１１ｂは袋状部材１１の前端部Ｆに設けられているが、その他の部分、例えば、袋状部材１１の後端部Ｒや、袋状部材１１の長手方向中央部の左側又は右側に設けられていてもよい。
【００３４】
そして、袋状部材１１は、不透液性シートで構成される。ここで、この不透液性シートの材料としては、排出された体液を透過しない材料であれば、特に制限なく公知のものを用いることができる。例えば、防水処理を施した不織布、ポリエチレンなどから構成されるプラスチックフィルム、不織布とプラスチックフィルムとの複合材料などを用いることができる。このように、袋状部材１１を不透液性シートで構成すると、排出された体液が袋状部材１１にしみこまず、後述する紐１２のすべりが悪くならない。
【００３５】
また、袋状部材１１を裏面材２に取り付ける方法としては、例えば、筒状の不透液性シートを本体部１０の弧状部に沿うよう弧状に湾曲させ、本体部１０の前端部Ｆの短手方向中央部に開口部１１ｂが位置するような形状に形成した後、ホットメルト接着剤を用いて本体部１０の裏面材２に取り付ける方法が挙げられる。また、他の方法としては、帯状の不透液性シートを長手方向に二つ折りにし、これを長手方向端部がくっつかないように湾曲させた後、二つ折りにした短手方向の解離部分を生理用ナプキンの裏面材２に縫い付ける方法などを用いることもできる。
【００３６】
紐１２は、前記袋状部材１１の内部に通されている。紐１２は、図１Ａ（ｂ）、（ｃ）に示すように、断面形状が丸状のものを用いる。ここで、紐１２は、使用者の肌への刺激を少なくするため、その断面形状を扁平状にしたり、柔軟な材料を用いて構成したりすることもできる。また、該紐１２の両端部は、図１Ｂに示すように、前記袋状部材１１の前記相対向した開口部１１ｂから袋状部材１１の外部へと取り出されている。そして、この紐１２の相対向した両端部（一端と他端）をくくるようにして結び目を形成している。ここで、本実施形態の生理用ナプキン１００においてはあらかじめ結び目が形成されているが、使用前には結び目が形成されておらず、使用後において廃棄処理をする際に、使用者が結び目を形成できるような構成としてもよい。また、紐１２の両端部には、それぞれ膨出部としてのタグ１３が取り付けられている。このタグ１３を取り付けることにより、使用者が紐１２を持ちやすくなると共に、紐１２が袋状部材１１の内部に入り込むことが防止される。ここで、紐１２が袋状部材１１の内部に入り込まないようにするためには、他の構成を採用することも可能である。例えば、紐１２の各端部で結び目を作ったりしてもよい。
【００３７】
上記のように構成された生理用ナプキン１００の使用方法について、簡単に説明する。
【００３８】
まず、使用者は、裏面材２の粘着面５に被覆された剥離紙をはがし、生理用ナプキン１０の前端部Ｆがショーツの前面に位置するようにして、粘着面５をショーツへと付着させる。そして、そのショーツを着衣することによって、使用者は、生理用ナプキン１００を使用する。
【００３９】
次に、本実施形態の生理用ナプキン１００の廃棄処理時における形状の変化について、図２Ａ乃至図２Ｄを参照しながら説明する。
【００４０】
図２Ａに示すように、使用者は、生理用ナプキン１００の使用後において廃棄処理をする際に、袋状部材１１の相対向した開口部１１ｂから取り出された紐１２の各端部（一端と他端）をそれぞれ反対方向へと引っ張るようにする。
【００４１】
すると、図２Ｂに示すように、本体部１０の前端部Ｆ及び後端部Ｒが表面材（体液の付着した面）１に向かって隆起しはじめる。ここで、本体部１０の長手方向中央部よりも後端部Ｒ寄りの張り出し部分１１ａにおいて、本体部１０の隆起が顕著となる。この際、本体部１０前端部Ｆ及び後端部Ｒが隆起するのに伴って、裏面材２の粘着面５がショーツ（図示せず）からはがれてゆく。
【００４２】
次に、紐１２の一端と他端とをさらに締め付けるようにしてそれぞれ反対方向へと引っ張ると、図２Ｃに示すように、本体部１０の前端部Ｆ及び後端部Ｒがそれ以上隆起しなくなった後、まず、生理用ナプキン１００の体液の付着した面に向かって本体部１０の前    端部Ｆが倒伏しはじめる。次に、生理用ナプキン１００の体液の付着した面に向かって本体部１０の後端部Ｒが倒伏しはじめる。
【００４３】
そして、これ以上締め付けることができないほどに紐１２の一端と他端とを反対方向へと引っ張ると、図２Ｄに示すように、先に倒伏し終わった本体部１０の前端部Ｆに覆いかぶさるようにして本体部１０の後端部Ｒが倒伏し、生理用ナプキン１００の前端部Ｆ及び後端部Ｒが生理用ナプキン１００の体液の付着した面を覆うようにして丸まる。
【００４４】
以上のように、本実施形態の生理用ナプキン１００では、紐１２が袋状部材１１の内部に通されているので、使用時において紐１２が使用者の肌に触れなくなり、使用者が不快な思いをしなくなる。
【００４５】
また、本実施形態の生理用ナプキン１００においては、袋状部材１１の相対向した開口部１１ｂから紐１２の各端部がそれぞれ取り出されているので、本体部１０に触れることなく紐１２を引っ張ることができる。
【００４６】
さらに、本実施形態の生理用ナプキン１００においては、袋状部材１１の相対向した開口部１１ｂから取り出された紐１２の一端と他端とをそれぞれ引っ張ることにより、本体部１０の前端部Ｆ及び後端部Ｒが隆起する。それに伴って、裏面材２の粘着面５がショーツからはがれてゆくので、生理用ナプキン１００をショーツから取りはずすことが容易になる。
【００４７】
また、本実施形態の生理用ナプキン１００においては、生理用ナプキン１００の前端部Ｆ及び後端部Ｒが生理用ナプキン１００の体液の付着した面を覆うようにして丸まるので、生理用ナプキン１００の廃棄時において、生理用ナプキン１００における体液が付着した面が露出しなくなり、使用者の手に体液が付着しなくなる。したがって、使用後の生理用ナプキン１００を清潔に廃棄処理することができるようになる。
（第２実施形態）
図３Ａは、本発明の第２実施形態に係る生理用ナプキンを示す図であって、図３Ａ（ａ）は本実施形態の生理用ナプキンの構成を示す表面図であり、図３Ａ（ｂ）は図３Ａ（ａ）のＣ−Ｃ線に沿って切断した状態を示す断面図である。図３Ｂは、第２実施形態の生理用ナプキンの構成を示す裏面図である。図３Ａ及び図３Ｂにおいて、図１Ａ及び図１Ｂと同一又は相当する部分には同一符号を付して、その説明を省略する。
【００４８】
図３Ａ及び図３Ｂに示すように、本実施形態の生理用ナプキン１００では、袋状部材１１が裏面材２に取り付けられている。ここで、袋状部材１１は、図３Ｂに示すように、生理用ナプキン１００の外縁からはみ出さないようにして、本体部１０における裏面材２の外周手前に取り付けられている。また、袋状部材１１の長手方向略中央部の幅は、袋状部材１１の長手方向略中央部以外の幅よりも狭くなっている。ここで、袋状部材１１は、本体部１０の弧状部に沿って湾曲すると共に、該袋状部材１１の前端部Ｆの短手方向中央部において対向するようにして、開口部１１ｂが設けられている。そして、袋状部材１１の内部に紐１２が通されると共に、前記相対向した開口部１１ｂから紐１２の各端部が袋状部材１１の外部へと取り出されている。
【００４９】
次に、本実施形態の生理用ナプキン１００の廃棄処理時における形状の変化について説明する。
【００５０】
本実施形態の生理用ナプキン１００について、袋状部材１１の相対向した開口部１１ｂから取り出された紐１２の各端部（一端と他端）をそれぞれ反対方向へと引っ張ると、本体部１０の前端部Ｆ及び後端部Ｒが表面材（体液の付着した面）１に向かって隆起しはじめる。ここで、本体部１０の前端部Ｆ及び後端部Ｒが隆起するのに伴って、裏面材２の粘着面５がショーツからはがれてゆく。
【００５１】
そして、これ以上締め付けることができないほどに紐１２の一端と他端とをそれぞれ反対方向へと引っ張ると、生理用ナプキン１００の前端部Ｆ及び後端部Ｒが生理用ナプキン１００の体液の付着した面を覆うようにして丸まる。
【００５２】
以上のように、本実施形態の生理用ナプキン１００では、裏面材２に袋状部材１１が設けられており、この袋状部材１１の内部に紐１２が通されているので、袋状部材１１及び袋状部材１１の内部に通された紐１２が直接使用者の肌に触れず、使用者を不快にさせない。
【００５３】
また、本体部１０が隆起するのに伴って、裏面材２の粘着面５がショーツからはがれてゆくので、生理用ナプキン１００をショーツから取りはずすことが容易になる。
【００５４】
さらに、生理用ナプキン１００の使用後においては、上記第１実施形態と同様に、廃棄時において生理用ナプキン１００の体液の付着した面が露出していないので、表面材１に付着した体液が使用者の手に付着することがなくなる。したがって、生理用ナプキン１００を清潔に廃棄処理することができるようになる。
（第３実施形態）
図４Ａは、本発明の第３実施形態に係る生理用ナプキンを示す図であって、図４Ａ（ａ）は本実施形態の生理用ナプキンの構成を示す表面図であり、図４Ａ（ｂ）は図４Ａ（ａ）のＤ−Ｄ線で切断した状態を示す断面図であって、図４Ａ（ｃ）は図４Ａ（ａ）のＥ−Ｅ線で切断した状態を示す断面図である。図４Ｂは、第３実施形態の生理用ナプキンの構成を示す裏面図である。図４Ａ及び図４Ｂにおいて、図１Ａ及び図１Ｂと同一又は相当する部分には同一符号を付して、その説明を省略する。
【００５５】
図４Ａ及び図４Ｂに示すように、本実施形態の生理用ナプキン１００では、前記第１実施形態のように袋状部材１１が本体部１０と独立して設けられておらず、前記表面材１と前記裏面材２との接合部分に袋部１４が形成されている。袋部１４は、本体部１０の外周内部にわたって連続的に形成されている。ここで、袋部１４は、生理用ナプキン１００の前端部Ｆ及び後端部Ｒにおいて、前記表面材１と前記裏面材２との間に介在された液吸収体３と本体部１０の外周との距離が短くなるように形成されている。一方、袋部１４は、生理用ナプキン１００の長手方向中間部において前記表面材１と前記裏面材２との間に介在された液吸収体３と本体部１０の外周との距離が広くなるように形成されている。また、袋部１４には、該袋部１４の前端部Ｆの短手方向中央部において対向するように開口部１４ｂが設けられている。そして、その袋部１４の内部に紐１２が通されると共に、上記相対向した開口部１４ｂから紐１２の各端部が袋部１４の外部へ取り出されている。換言すると、本体部１０の外周内部における、表面材１と裏面材２と液吸収体３とで形成された空間（袋部１４）の内部に、紐１２が通されている。
【００５６】
次に、本実施形態の生理用ナプキン１００の廃棄処理時における形状の変化について説明する。
【００５７】
本実施形態の生理用ナプキン１００について、袋部１４の相対向した開口部１４ｂから取り出された紐１２の各端部（一端と他端）をそれぞれ反対方向へと引っ張ると、本体部１０の前端部Ｆ及び後端部Ｒが表面材（体液の付着した面）１に向かって隆起しはじめる。ここで、本体部１０の前端部Ｆ及び後端部Ｒが隆起するのに伴って、裏面材２の粘着面５がショーツからはがれてゆく。
【００５８】
そして、これ以上締め付けることができないほどに紐１２の一端と他端とを反対方向へと引っ張ると、生理用ナプキン１００の前端部Ｆ及び後端部Ｒが生理用ナプキン１００の体液の付着した面を覆うようにして丸まる。
【００５９】
以上のように、本実施形態の生理用ナプキン１００では、袋部１４の内部に紐１２が通されているので、袋部１４の内部に通された紐１２が直接使用者の肌に触れず、使用者を不快にさせない。
【００６０】
また、本実施形態の生理用ナプキン１００は、表面材１と裏面材２とによって袋部１４が形成され、袋状部材が本体部１０と独立して設けられていないので、構成部材の点数が少なくなって、生理用ナプキン１００の製造が容易になる。
【００６１】
さらに、本体部１０が隆起するのに伴って裏面材２の粘着面５がショーツからはがれてゆくので、生理用ナプキン１００をショーツから取りはずすことが容易になる。
【００６２】
また、生理用ナプキン１００の使用後においては、前記第１実施形態と同様に、廃棄時において生理用ナプキン１００の体液の付着した面が露出していないので、表面材１に付着した体液が使用者の手に付着することがなくなる。したがって、生理用ナプキン１００を清潔に廃棄処理することができるようになる。
［変形例］
上記第３実施形態の生理用ナプキンにおいては、前記表面材１と前記裏面材２との接合部分に連続的な袋部１４が形成されている。一方、本変形例では、本体部１０の外周内部の袋部１４内に袋状部材（図示せず）を設け、この袋状部材の内部に紐１２を通してもよい。換言すると、本体部１０の外周内部における、表面材１と裏面材２と液吸収体３とで形成された空間（袋部１４）の内部に袋状部材を設け、この袋状部材の内部に紐１２を通してもよい。その他の構成については、第３実施形態の生理用ナプキン１００と同様である。
【００６３】
ここで、上記袋状部材は、不透液性シートで構成される。ここで、この不透液性シートの材料としては、排出された体液を透過しない材料であれば、特に制限なく公知のものを用いることができる。例えば、防水処理を施した不織布、ポリエチレンなどから構成されるプラスチックフィルム、不織布とプラスチックフィルムとの複合材料などを用いることができる。
【００６４】
上記のような構成としても、廃棄処理時においては、第３実施形態の生理用ナプキン１００と同様の形状変化をする。
【００６５】
以上のように、本変形例の生理用ナプキン１００では、本体部１０の外周内部に袋状部材が設けられており、この袋状部材の内部に紐１２が通されているので、袋状部材及び袋状部材の内部に通された紐１２が直接使用者の肌に触れず、使用者を不快にさせない。
【００６６】
また、本体部１０が隆起するのに伴って、裏面材２の粘着面５がショーツからはがれてゆくので、生理用ナプキン１００をショーツから取りはずすことが容易になる。
【００６７】
さらに、生理用ナプキン１００の使用後においては、前記第１実施形態と同様に、廃棄時において生理用ナプキン１００の体液の付着した面が露出していないので、表面材１に付着した体液が使用者の手に付着することがなくなる。したがって、生理用ナプキン１００を清潔に廃棄処理することができるようになる。
【００６８】
また、本変形例の生理用ナプキン１００においては、本体部１０の外周内部に設けられた袋状部材が不透液性シートで構成され、この袋状部材の内部に紐１２を通したため、表面材１上に排出された体液が浸透しても袋状部材にしみこまず、紐１２のすべりが悪くならない。
【産業上の利用可能性】
【００６９】
本発明の生理用ナプキンは、使用時において紐が直接使用者の肌に触れず、かつ使用後において容易にコンパクトに折りたたむことができて清潔に廃棄処理できる生理用ナプキンとして有用である。
【図面の簡単な説明】
【００７０】
【図１Ａ】本発明の第１実施形態に係る生理用ナプキンを示す図であって、図１Ａ（ａ）は本実施形態の生理用ナプキンの構成を示す表面図であり、図１Ａ（ｂ）は図１Ａ（ａ）のＡ−Ａ線で切断した状態を示す断面図であって、図１Ａ（ｃ）は図１Ａ（ａ）のＢ−Ｂ線で切断した状態を示す断面図である。
【図１Ｂ】第１実施形態の生理用ナプキンの構成を示す裏面図である。
【図２Ａ】第１実施形態の生理用ナプキンの廃棄時における形状の変化を示す斜視図である。
【図２Ｂ】第１実施形態の生理用ナプキンの廃棄時における形状の変化を示す斜視図である。
【図２Ｃ】第１実施形態の生理用ナプキンの廃棄時における形状の変化を示す斜視図である。
【図２Ｄ】第１実施形態の生理用ナプキンの廃棄時における形状の変化を示す斜視図である。
【図３Ａ】本発明の第２実施形態に係る生理用ナプキンを示す図であって、図３Ａ（ａ）は本実施形態の生理用ナプキンの構成を示す表面図であり、図３Ａ（ｂ）は図３Ａ（ａ）のＣ−Ｃ線で切断した状態を示す断面図である。
【図３Ｂ】第２実施形態の生理用ナプキンの構成を示す裏面図である。
【図４Ａ】本発明の第３実施形態に係る生理用ナプキンを示す図であって、図４Ａ（ａ）は本実施形態の生理用ナプキンの構成を示す表面図であり、図４Ａ（ｂ）は図４Ａ（ａ）のＤ−Ｄ線で切断した状態を示す断面図であって、図４Ａ（ｃ）は図４Ａ（ａ）のＥ−Ｅ線で切断した状態を示す断面図である。
【図４Ｂ】第３実施形態の生理用ナプキンの構成を示す裏面図である。
【図５】従来の生理用ナプキンの構成を示す斜視図である。
【符号の説明】
【００７１】
１  表面材
２  裏面材
３  液吸収体
４  溝
５  粘着部
１０  生理用ナプキン本体部（本体部）
１１  連続的な袋状部材
１１ａ  張り出し部
１１ｂ  開口部
１２  紐（紐状部材）
１３  タグ（膨出部）
１４  連続的な袋部
１４ｂ  開口部
１００  生理用ナプキン
Ｆ  前端部
Ｒ  後端部
【図１Ａ】
2007082595.tif 000003
【図１Ｂ】
2007082595.tif 000004
【図２Ａ】
2007082595.tif 000005
【図２Ｂ】
2007082595.tif 000006
【図２Ｃ】
2007082595.tif 000007
【図２Ｄ】
2007082595.tif 000008
【図３Ａ】
2007082595.tif 000009
【図３Ｂ】
2007082595.tif 000010
【図４Ａ】
2007082595.tif 000011
【図４Ｂ】
2007082595.tif 000012
【図５】
2007082595.tif 000013